(57)【要約】【課題】障害時における障害調査などに有用な無線ＬＡＮブリッジのアクセスログ等を残しておくことができる情報処理装置を提供する。【解決手段】ＦＴＰサーバ機能を有する無線ＬＡＮブリッジに記憶されたログファイルを所定のタイミングでＦＴＰクライアント機能によって取得し、取得したログファイルを記憶する（ステップＳ４）。これにより、揮発性メモリに保存されていたログが電源のＯＦＦ／ＯＮによって削除されてしまう前、または、不揮発性メモリに保存されていたログが上書きされてしまう前に、定期的に無線ＬＡＮブリッジからログファイルを取得して保存することができるようになるので、障害時における障害調査などに有用な無線ＬＡＮブリッジのアクセスログ等を残しておくことができる。【選択図】図４
2010231617.tif 000002
【特許請求の範囲】
【請求項１】
ＦＴＰサーバ機能を有する無線ＬＡＮブリッジと接続されており、前記無線ＬＡＮブリッジを介して無線アクセスポイントと無線通信可能となっている情報処理装置において、
前記無線ＬＡＮブリッジとの間でＦＴＰ（File  Transfer  Protocol）によってファイルのやり取りを実行するＦＴＰクライアント機能を実現するＦＴＰクライアント機能手段と、
所定のタイミングで前記ＦＴＰクライアント機能手段を用いて前記無線ＬＡＮブリッジに記憶されたログファイルを取得するログファイル取得手段と、
前記ログファイル取得手段により取得した前記ログファイルを記憶するログファイル記憶手段と、
を備えることを特徴とする情報処理装置。
【請求項２】
前記ログファイル取得手段は、予め定めたログ保存間隔に従って前記無線ＬＡＮブリッジに記憶されたログファイルを取得する、
ことを特徴とする請求項１記載の情報処理装置。
【請求項３】
前記ログファイル取得手段は、電源切断時に前記無線ＬＡＮブリッジに記憶されたログファイルを取得する、
ことを特徴とする請求項１記載の情報処理装置。
【請求項４】
前記無線ＬＡＮブリッジおよび当該装置に対して停電時に所定時間だけ電気を供給する無停電電源装置が接続されており、
前記ログファイル取得手段は、前記無停電電源装置から停電通知を受けた際に、前記ＦＴＰクライアント機能手段を用いて前記無線ＬＡＮブリッジに記憶されたログファイルを取得する、
ことを特徴とする請求項１記載の情報処理装置。
【発明の詳細な説明】
【技術分野】
【０００１】
本発明は、情報処理装置に関する。
【背景技術】
【０００２】
例えば、店舗内に配設される商品販売データ処理装置であるＰＯＳ（Point  Of  Sales）端末装置と店舗サーバとは、ＬＡＮ（Local  Area  Network）ケーブルによって店舗内のネットワークに接続される。また、ＰＯＳ端末装置が無線ＬＡＮブリッジを使用してネットワークに接続している場合がある。無線ＬＡＮブリッジはＰＯＳ端末装置から出ている有線ＬＡＮを無線ＬＡＮに変換し、無線ＬＡＮアクセスポイントを介して店舗サーバと接続するために用いられる（特許文献１参照）。
【０００３】
無線ＬＡＮブリッジは、不揮発性メモリもしくは揮発性メモリである記憶部を備えている。このような記憶部には、アクセスログなどが保存されているログファイルなどの各種ファイルが記憶されている。ログファイルに保存されているアクセスログは、障害調査などに有用である。
【発明の概要】
【発明が解決しようとする課題】
【０００４】
しかしながら、ログを揮発性メモリである記憶部に保存する無線ＬＡＮブリッジにおいては、電源をＯＦＦ／ＯＮすると揮発性メモリに保存されていたログが削除されてしまう、という問題がある。
【０００５】
一方、ログを不揮発性メモリである記憶部に保存する無線ＬＡＮブリッジにおいては、一般に無線ＬＡＮブリッジに備えられる不揮発性メモリは、高価で小容量であるために、ログが詳細になるとすぐに不揮発性メモリの書き込み可能領域が一杯になってしまう。つまり、不揮発性メモリからログ採取が少し遅れると、不揮発性メモリにおいてログが上書きされてしまう、という問題がある。
【０００６】
本発明は、上記に鑑みてなされたものであって、障害時における障害調査などに有用な無線ＬＡＮブリッジのアクセスログ等を残しておくことができる情報処理装置を提供することを目的とする。
【課題を解決するための手段】
【０００７】
上述した課題を解決し、目的を達成するために、本発明は、ＦＴＰ（File  Transfer  Protocol）サーバ機能を有する無線ＬＡＮブリッジと接続されており、前記無線ＬＡＮブリッジを介して無線アクセスポイントと無線通信可能となっている情報処理装置において、前記無線ＬＡＮブリッジとの間でＦＴＰによってファイルのやり取りを実行するＦＴＰクライアント機能を実現するＦＴＰクライアント機能手段と、所定のタイミングで前記ＦＴＰクライアント機能手段を用いて前記無線ＬＡＮブリッジに記憶されたログファイルを取得するログファイル取得手段と、前記ログファイル取得手段により取得した前記ログファイルを記憶するログファイル記憶手段と、を備えることを特徴とする。
【発明の効果】
【０００８】
本発明によれば、障害時における障害調査などに有用な無線ＬＡＮブリッジのアクセスログ等を残しておくことができる、という効果を奏する。
【図面の簡単な説明】
【０００９】
【図１】図１は、本発明の実施の一形態にかかるネットワークシステムであるＰＯＳネットワークシステムを概略的に示す構成図である。
【図２】図２は、ＰＯＳ端末装置の要部構成を示すブロック図である。
【図３】図３は、制御プログラムによって実現されるモジュール構成を示す模式図である。
【図４】図４は、ログファイル保存処理の流れを概略的に示すフローチャートである。
【発明を実施するための形態】
【００１０】
以下に添付図面を参照して、この発明にかかる情報処理装置の最良な実施の形態を詳細に説明する。
【００１１】
本発明の実施の一形態を図１ないし図４に基づいて説明する。本実施の形態は、情報処理装置としてＰＯＳ端末装置を適用した例である。
【００１２】
図１は、本発明の実施の一形態にかかるネットワークシステム１を概略的に示すネットワーク構成図である。このネットワークシステム１は、例えば、コンビニエンスストア、スーパーマーケット、百貨店等の店舗と本部とを結ぶものである。本実施の形態では、このネットワークシステム１を便宜的にＰＯＳネットワークシステムと称する。図１に示すように、ネットワークシステム１は、店舗サーバ２、無線アクセスポイント３２，３３がスイッチングハブ３１を介して通信可能に接続されている。また、スイッチングハブ３１は、本部に備えられるセンタサーバ６ともブロードバンドルータ５およびＷＡＮ（Wide  Area  Network）回線７を介して通信可能に接続されている。ＰＯＳ端末装置３，４は、無線ＬＡＮブリッジ３４，３５と有線で接続されており、ＰＯＳ端末装置３，４は無線ＬＡＮブリッジ３４，３５を介して無線アクセスポイント３２，３３とそれぞれ無線通信可能となっている。なお、図１においては、ＰＯＳ端末装置３，４が２台接続されている場合を示しているが、ＰＯＳ端末装置の台数はこれに限るものではない。
【００１３】
無線ＬＡＮブリッジ３４は、フラッシュメモリなどの不揮発性メモリもしくは揮発性メモリである図示しない記憶部を備えている。このような記憶部には、ファームウェア、設定ファイル、ログファイルなどの各種ファイルが記憶されている。なお、ログファイルには、アクセスログなどが保存されている。また、記憶部には、ＦＴＰ（ファイル転送プロトコル）サーバ機能等を実現するための制御プログラムが記憶されている。そして、これらの制御プログラムが図示しないＲＡＭにロードされて実行されることにより、無線ＬＡＮブリッジ３４は、ＦＴＰサーバ機能等を実現できるようになっている。ＦＴＰサーバ機能は、ＦＴＰを利用してファイルの送受信を行なう。ＦＴＰサーバは、基本的にはユーザ名とパスワードを用いて認証を行ない、承諾されたユーザのみが利用できるようになっている。このような無線ＬＡＮブリッジ３４のＦＴＰサーバ機能によって、ＰＯＳ端末装置３に対する無線ＬＡＮブリッジ３４内の記憶部に記憶されたファイルのダウンロードが可能である。なお、無線ＬＡＮブリッジ３５についても同様な構成であるため説明を省略する。
【００１４】
続いてＰＯＳ端末装置３について説明する。なお、ＰＯＳ端末装置４については同様な構成であるため説明を省略する。図２は、ＰＯＳ端末装置３の要部構成を示すブロック図である。ＰＯＳ端末装置３は、制御部本体を構成するＣＰＵ（Central  Processing  Unit）１１、制御プログラム等を格納したＲＯＭ（Read  Only  Memory）１２、各種のデータを記憶するＲＡＭ（Random  Access  Memory）１３、現在の日時を計時する時計部１４、Ｉ／Ｏポート１５、ネットワークコントローラ１６、キーボードコントローラ１７、タッチパネルコントローラ１８、ディスプレイコントローラ１９、プリンタコントローラ２０、スキャナインタフェース（Ｉ／Ｆ）２１、ＨＤＤ（Hard  Disk  Drive）コントローラ２２等をバス接続してなる制御回路を内蔵している。
【００１５】
Ｉ／Ｏポート１５には、モードスイッチ１５ａとドロワ開放装置１５ｂとが接続されている。また、ネットワークコントローラ１６には、無線ＬＡＮブリッジ３４が接続されている。さらに、キーボードコントローラ１７にはキーボード１７ａが接続され、タッチパネルコントローラ１８にはタッチパネル付きディスプレイのタッチパネルセンサ１８ａとディスプレイ部１８ｂとが接続され、ディスプレイコントローラ１９には客用のディスプレイ１９ａが接続されている。また、プリンタコントローラ２０にはプリンタ２０ａが接続され、スキャナＩ／Ｆ２１にはスキャナ２１ａが接続され、ＨＤＤコントローラ２２にはＨＤＤ２２ａが接続されている。
【００１６】
ＨＤＤ２２ａは、各種の制御プログラムのほか、無線ＬＡＮブリッジのＩＰ（Internet  Protocol）アドレス（ここでは、無線ＬＡＮブリッジ３４のＩＰアドレス）、無線ＬＡＮブリッジのログファイルを保存する間隔であるログ保存間隔などを格納している。ログ保存間隔は、ログの量に合わせてその間隔を変更することが可能である。
【００１７】
ネットワークコントローラ１６は、無線ＬＡＮブリッジ３４を介して行なうデータ通信を制御する。キーボードコントローラ１７は、キーボード１７ａから操作されたキーに対応するキー信号を取り込みＣＰＵ１１に知らせる。タッチパネルコントローラ１８は、ＣＰＵ１１からの指令によりディスプレイ部１８ｂに各種の画面を選択的に表示させるとともに、タッチパネルセンサ１８ａの信号を取り込みタッチ位置座標を求めてＣＰＵ１１に知らせる。ディスプレイコントローラ１９は、客の支払う合計金額等の表示データに対応した文字等をディスプレイ１９ａに表示させる。プリンタコントローラ２０は、プリンタ２０ａによるレシート印字及びジャーナル印字を制御する。スキャナＩ／Ｆ２１は、スキャナ２１ａにてスキャニングされたバーコードデータを入力する。なお、キーボード１７ａは、数値データを置数入力するための置数キーの他、ＰＬＵ（Price  Look  Up）キー，小計キー，預／現計キー，合計キー等の各種ファンクションキーを配設したものである。モードスイッチ１５ａは各種業務モードを選択するためのものである。ＨＤＤコントローラ２２は、ＨＤＤ２２ａに対するデータの読み取り／書き込みを制御する。
【００１８】
ＰＯＳ端末装置３のＣＰＵ１１は、ＲＯＭ１２またはＨＤＤ２２ａに格納した制御プログラムをＲＡＭ１３にロードして実行することにより、各種機能を実現できるようになっている。本実施の形態にかかるＰＯＳ端末装置３のＣＰＵ１１で実行される制御プログラムは、図３に示すような各部（ＦＴＰクライアント機能手段４０、ログファイル取得手段５０、ログファイル記憶手段６０）を含むモジュール構成となっており、実際のハードウェアとしてはＣＰＵ１１がＲＯＭ１２またはＨＤＤ２２ａから制御プログラムを読み出して実行することにより上記各部がＲＡＭ１３上にロードされ、ＦＴＰクライアント機能手段４０、ログファイル取得手段５０、ログファイル記憶手段６０がＲＡＭ１３上に生成されるようになっている。
【００１９】
ＦＴＰクライアント機能手段４０は、ＦＴＰサーバとして機能する無線ＬＡＮブリッジ３４に接続してＦＴＰによってファイルのやり取りを実行するＦＴＰクライアント機能を実現する。ログファイル取得手段５０は、所定のタイミングでＦＴＰクライアント機能手段４０を用いて無線ＬＡＮブリッジ３４に記憶されたログファイルを取得する。ログファイル記憶手段６０は、ログファイル取得手段５０により取得したログファイルを記憶する。
【００２０】
図４は、ログファイル保存処理の流れを概略的に示すフローチャートである。ＰＯＳ端末装置３のＣＰＵ１１は、概略的には、電源が入っている間における所定のタイミングおよび電源切断時において、制御プログラムにより無線ＬＡＮブリッジ３４内の記憶部に記憶されたログファイルを取得して、ＨＤＤ２２ａに保存する機能を有している。
【００２１】
より詳細には、図４に示すように、電源投入後、ＰＯＳ端末装置３のＣＰＵ１１は、ＨＤＤ２２ａに保存されている無線ＬＡＮブリッジのＩＰアドレス（ここでは、無線ＬＡＮブリッジ３４のＩＰアドレス）を読み込むとともに（ステップＳ１）、ＨＤＤ２２ａに保存されている無線ＬＡＮブリッジのログ保存間隔を読み込む（ステップＳ２）。
【００２２】
続いて、ＰＯＳ端末装置３のＣＰＵ１１は、ステップＳ１において読み込んだＩＰアドレスの無線ＬＡＮブリッジ（ここでは、無線ＬＡＮブリッジ３４）へＦＴＰ接続する（ステップＳ３：ＦＴＰクライアント機能手段４０）。
【００２３】
無線ＬＡＮブリッジ３４との間でＦＴＰ接続が確立すると、ＰＯＳ端末装置３のＣＰＵ１１は、無線ＬＡＮブリッジ３４の記憶部に記憶されたログファイルを取得し、ＨＤＤ２２ａに保存するとともに（ステップＳ４：ログファイル取得手段５０，ログファイル記憶手段６０）、保存したログファイルのファイル名に対して時計部１４により計時した保存時刻を加える（ステップＳ５）。
【００２４】
その後、ＰＯＳ端末装置３のＣＰＵ１１は、ステップＳ２で読み込んだログ保存間隔が経過するまで（ステップＳ６のＹｅｓ）、または、電源ＯＦＦ通知があるまで（ステップＳ７のＹｅｓ）、待機する。
【００２５】
ログ保存間隔が経過した場合には（ステップＳ６のＹｅｓ）、ステップＳ３に戻り、無線ＬＡＮブリッジ３４へＦＴＰ接続する。一方、ログ保存間隔が経過する前に（ステップＳ６のＮｏ）、電源ＯＦＦ通知があった場合には（ステップＳ７のＹｅｓ）、ＰＯＳ端末装置３のＣＰＵ１１は、無線ＬＡＮブリッジ３４の記憶部に記憶されたログファイルを取得し、ＨＤＤ２２ａに保存するとともに（ステップＳ８：ログファイル取得手段５０，ログファイル記憶手段６０）、保存したログファイルのファイル名に対して時計部１４により計時した保存時刻を加えて（ステップＳ９）、処理を終了する。
【００２６】
このように本実施の形態によれば、ＦＴＰサーバ機能を有する無線ＬＡＮブリッジ３４に記憶されたログファイルを所定のタイミングでＦＴＰクライアント機能によって取得し、取得したログファイルを記憶することにより、揮発性メモリに保存されていたログが電源のＯＦＦ／ＯＮによって削除されてしまう前、または、不揮発性メモリに保存されていたログが上書きされてしまう前に、定期的に無線ＬＡＮブリッジ３４からログファイルを取得して保存することができるようになるので、障害時における障害調査などに有用な無線ＬＡＮブリッジのアクセスログ等を残しておくことができる。
【００２７】
なお、ＰＯＳ端末装置３には、停電によるトラブルが生じないようにＵＰＳ（Uninterruptible  Power  Supply：無停電電源装置）が接続されていることが多い。これにより、停電時でもしばらくの間、ＰＯＳ端末装置３には、電気が供給され、この間に安全にシステムを終了することができる。このようなＵＰＳは、ＰＯＳネットワークシステムにも有用であるので、無線ＬＡＮブリッジ３４に対してもＰＯＳ端末装置３と同じ様にＵＰＳを接続することが望ましい。
【００２８】
ＰＯＳ端末装置３や無線ＬＡＮブリッジ３４にＵＰＳを接続するようにした場合には、ＰＯＳ端末装置３のＣＰＵ１１は、停電を検知すると、即座に、無線ＬＡＮブリッジ３４の記憶部に記憶されているログファイルを取得すると共にＨＤＤ２２ａに保存するようにし、その後、従前の停電検知後に行なう停電処理を行ない、ＰＯＳ端末装置３をシャットダウンするように構成することが望ましい。このように構成することによって、ＰＯＳ端末装置３で停電検知する直前或いは直後に無線ＬＡＮブリッジ３４の記憶部に記憶されていたログファイルは、ＰＯＳ端末装置３によって保存されることになる。
【００２９】
停電検知後にＰＯＳ端末装置３が無線ＬＡＮブリッジ３４から取得し保存したログファイルからは、無線ＬＡＮブリッジ３４の停電検知直前の動作状況を知ることができる。
【００３０】
したがって、無線ＬＡＮブリッジ３４の記憶部が不揮発性メモリで、停電後のＵＰＳからの電気供給によって無線ＬＡＮブリッジ３４が動作し続け、停電検知以降ＵＰＳからの電気供給が途絶えるまでの間の無線ＬＡＮブリッジ３４の動作状況を自己の記憶部に記録する為に、ＰＯＳ端末装置３が停電を検知する前までに無線ＬＡＮブリッジ３４の記憶部に記憶されていたログが上書きされてしまったとしても、停電検知直後にＰＯＳ端末装置３が無線ＬＡＮブリッジ３４から取得したログファイルに基づいて、停電直前の無線ＬＡＮブリッジ３４の動作状況を知ることができる。
【００３１】
なお、本実施の形態においては情報処理装置としてＰＯＳ端末装置を適用した例について説明したが、これに限るものではなく、ＦＴＰサーバ機能を有する無線ＬＡＮブリッジと接続可能なパーソナルコンピュータなど各種の情報処理装置が適用可能である。
【符号の説明】
【００３２】
３，４        情報処理装置
３２，３３    無線アクセスポイント
３４，３５    無線ＬＡＮブリッジ
４０          ＦＴＰクライアント機能手段
５０          ログファイル取得手段
６０          ログファイル記憶手段
【先行技術文献】
【特許文献】
【００３３】
【特許文献１】特開２００７−１８４７６９号公報
【図１】
2010231617.tif 000003
【図２】
2010231617.tif 000004
【図３】
2010231617.tif 000005
【図４】
2010231617.tif 000006